【手続補正書】
【提出日】平成18年1月31日(2006.1.31)
【手続補正１】
【補正対象書類名】明細書
【補正対象項目名】特許請求の範囲
【補正方法】変更
【補正の内容】
【特許請求の範囲】
【請求項１】  自動撮影機能を備えた撮像装置において、該撮像装置の操作内容が記憶されたファイルを入力するファイル入力手段と、該ファイル入力手段により入力されたファイルを記憶するファイル記憶手段と、該ファイル記憶手段に記憶されたコマンドを解釈して実行するコマンド実行手段と、を備え、前記撮像装置の主電源が投入されると前記ファイル記憶手段から順次ファイル番号を比較して、該ファイル番号中に自動動作ファイル番号が存在するか否かを検索し、該自動動作ファイル番号が存在する場合、該自動動作ファイルを起動操作テーブルに追加すると共に、前記ファイル中に現在実行中のファイルがあるか否かを検索し、実行中のファイルが存在する場合は、該ファイルを前記ファイル記憶手段から読み出し、自動動作を継続することを特徴とする撮像装置。
【請求項２】  前記ファイル中に現在実行中のファイルがあるか否かを検索し、該検索の結果、実行中のファイルが存在しない場合は、操作入力信号に基づいて前記起動操作テーブルを検索し、前記操作入力信号に一致する自動動作を実行することを特徴とする請求項１に記載の撮像装置。
【請求項３】  前記操作入力信号に基づいて前記起動操作テーブルを検索した結果、一致する起動操作内容が存在しない場合は、通常動作を実行することを特徴とする請求項１又は２に記載の撮像装置。
【請求項４】  前記操作入力信号に一致する自動動作は、前記起動操作テーブルに基づいたファイル番号と実行開始ラインから起動することを特徴とする請求項１又は２に記載の撮像装置。
【請求項５】  前記起動操作テーブルには、操作入力キーマトリクス上の入出力ポートの位置を示す第１の起動操作内容、及び第２の起動操作内容と、前記起動操作に対応した自動動作ファイルのファイル番号と、前記自動動作を開始するライン番号と、が記憶されていることを特徴とする請求項１乃至４の何れか一項に記載の撮像装置。
【請求項６】  前記自動動作は、前記第１の起動操作内容、及び第２の起動操作内容が前記操作入力キーマトリクスから同時に操作された場合に実行されることを特徴とする請求項５に記載の撮像装置。
【請求項７】  前記ファイルはテキストファイル形式で作成されていることを特徴とする請求項１の撮像装置。
【請求項８】  外部記憶メディアと接続可能なインターフェイスを更に備え、前記ファイルは前記インターフェイスに接続された前記外部記憶メディアよりロードすることを特徴とする請求項１の撮像装置。
【請求項９】  前記自動動作を起動するための操作を前記ファイル内容に含み、該操作によって自動動作を開始することを特徴とする請求項１乃至８の何れか一項に記載の撮像装置。
【請求項１０】  複数の自動動作ファイルを前記ファイル記憶手段にロード可能とし、前記複数の自動動作ファイル夫々に設定された操作により、異なる動作を開始することを特徴とする請求項１乃至９の何れか一項に記載の撮像装置。
【請求項１１】  前記自動動作ファイルには、任意の繰り返し動作を指定可能としたことを特徴とする請求項１乃至１０の何れか一項に記載の撮像装置。
【請求項１２】  前記自動動作ファイルには、任意の電源オフ時間を指定可能としたことを特徴とする請求項１乃至１１の何れか一項に記載の撮像装置。
【請求項１３】  前記自動動作ファイルには、前記操作入力キーマトリクスの機能名称に対するキー番号を定義可能とし、前記第１の起動操作内容、及び第２の起動操作内容の記述には前記操作入力キーマトリクスの機能名称により記述可能であることを特徴とする請求項１乃至１２の何れか一項に記載の撮像装置。
【請求項１４】  前記自動動作ファイルには、任意の操作内容をサブルーチン化して記述可能としたことを特徴とする請求項１乃至１３の何れか一項に記載の撮像装置。
【請求項１５】  前記自動動作ファイルには、各種の調整用の処理プログラムの起動を指定可能としたことを特徴とする請求項１に記載の撮像装置。
【請求項１６】  同一ファイル内に複数の自動動作内容を含み、夫々の前記自動動作内容に対応した起動操作を指定可能としたことを特徴とする請求項１記載の撮像装置。
【請求項１７】  自動撮影機能を備えた撮像装置において、該撮像装置の操作内容が記憶されたファイルを入力するファイル入力手段と、該ファイル入力手段により入力されたファイルを記憶するファイル記憶手段と、該ファイル記憶手段に記憶されたコマンドを解釈して実行するコマンド実行手段と、インターネットとの通信手段からテキストファイル形式で作成されたファイルを受信するファイル受信手段と、を備え、該ファイル受信手段により受信したファイルの指示内容に従った自動動作を起動することを特徴とする撮像装置。
【請求項１８】  自動撮影機能を備えた撮像装置において、該撮像装置の操作内容が記憶されたファイルを入力するファイル入力手段と、該ファイル入力手段により入力されたファイルを記憶するファイル記憶手段と、該ファイル記憶手段に記憶されたコマンドを解釈して実行するコマンド実行手段と、インターネットとの通信手段から電子メール文書で作成された電子メールを受信するメール受信手段と、を備え、該メール受信手段により受信した電子メールの指示内容に従った自動動作を起動することを特徴とする撮像装置。
【請求項１９】  前記通信手段は、定期的に起動されることを特徴とする請求項１７又は１８に記載の撮像装置。
【手続補正２】
【補正対象書類名】明細書
【補正対象項目名】０００４
【補正方法】変更
【補正の内容】
【０００４】
【課題を解決するための手段】
本発明はかかる課題を解決するために、請求項１は、自動撮影機能を備えた撮像装置において、該撮像装置の操作内容が記憶されたファイルを入力するファイル入力手段と、該ファイル入力手段により入力されたファイルを記憶するファイル記憶手段と、該ファイル記憶手段に記憶されたコマンドを解釈して実行するコマンド実行手段と、を備え、前記撮像装置の主電源が投入されると前記ファイル記憶手段から順次ファイル番号を比較して、該ファイル番号中に自動動作ファイル番号が存在するか否かを検索し、該自動動作ファイル番号が存在する場合、該自動動作ファイルを起動操作テーブルに追加すると共に、前記ファイル中に現在実行中のファイルがあるか否かを検索し、実行中のファイルが存在する場合は、該ファイルを前記ファイル記憶手段から読み出し、自動動作を継続することを特徴とする。
撮像装置の操作手順が記述されたファイルを、カメラ内に入力するためには、そのファイル形式に合ったインターフェイスが必要である。そして、入力されたファイルを繰り返し使用するために、そのファイルを記憶する記憶手段が必要である。また、そのファイルは、カメラが解読可能なコマンドにより構成され、そのコマンドに従ってカメラが所定の動作を実行する。
このコマンドの実行のトリガは主電源が投入された時であり、自動動作を行う所定のファイル名を検索して、もし、自動動作を行うファイルが存在した場合は、そのファイルを読み出して起動操作テーブルに所定のフォーマットに従って記憶する。
その後、再びファイルを検索して、現材実行中のファイルがあるかを検索し、実行中のファイルがあれば、そのファイルを読み出して自動動作を継続する。
かかる発明によれば、自動動作を行うファイルに従って自動動作を実行するので、煩雑な操作が省略でき、操作性が大幅に向上する。
【手続補正３】
【補正対象書類名】明細書
【補正対象項目名】００１０
【補正方法】変更
【補正の内容】
【００１０】
請求項１７は、自動撮影機能を備えた撮像装置において、該撮像装置の操作内容が記憶されたファイルを入力するファイル入力手段と、該ファイル入力手段により入力されたファイルを記憶するファイル記憶手段と、該ファイル記憶手段に記憶されたコマンドを解釈して実行するコマンド実行手段と、インターネットとの通信手段からテキストファイル形式で作成されたファイルを受信するファイル受信手段と、を備え、該ファイル受信手段により受信したファイルの指示内容に従った自動動作を起動することを特徴とする。
カメラにインターネットとの通信手段、例えば、携帯端末やＰＣからテキスト形式で作成されたファイルを受信する受信手段を備えることにより、遠隔地で作成されたファイルをインターネットを通じて容易にロードすることができる。
かかる発明によれば、インターネットとの通信手段からテキストファイル形式で作成されたファイルを受信するファイル受信手段により受信したファイルの指示内容に従った自動動作を起動するので、遠隔地からのファイルをロードすることができる。
請求項１８は、自動撮影機能を備えた撮像装置において、該撮像装置の操作内容が記憶されたファイルを入力するファイル入力手段と、該ファイル入力手段により入力されたファイルを記憶するファイル記憶手段と、該ファイル記憶手段に記憶されたコマンドを解釈して実行するコマンド実行手段と、インターネットとの通信手段から電子メール文書で作成された電子メールを受信するメール受信手段と、を備え、該メール受信手段により受信した電子メールの指示内容に従った自動動作を起動することを特徴とする。
電子メール文書はテキスト形式の文書である。従って、その電子メールを受信する受信手段を備えておけば、電子メール文書から直接ファイルをロードすることができる。
かかる発明によれば、インターネットとの通信手段から電子メール文書で作成された電子メールの指示内容に従った自動動作を起動することで、電子メール文書から直接ファイルをロードすることができる。
請求項１９は、前記通信手段は、定期的に起動されることも本発明の有効な手段である。通信手段はカメラが待機中は主電源をいれておく必要はない。従って、通信手段が持つタイマを設定しておき、定期的に時間が経過したら主電源を入れるようにすれば、待機中の電力の消耗を抑えることができる。
かかる技術手段によれば、前記通信手段は、定期的に起動されるので、待機中の電力の消耗を抑えることができる。